(57)【要約】      （修正有）【課題】リウマチ等の手指の障害を持つ患者が障害部の疼痛や不自由を伴わず、また、重度の視力障害におちいっている患者にとても容易に、開封できる一回使い切り点眼薬カプセルの開封装置を提供する。【解決手段】長尺挟持杆１６ａは、本装置１０の先端側に、基端部１２ｂから長尺挟持杆１６ａの先端までの長さが短尺挟持杆１６ｂの長さよりも長い長辺を有する、長方形の薄板材として形成されている。また、短尺挟持杆１６ｂは、長尺挟持杆１６ａの上側に長尺挟持杆１６ａと所要の間隔を空けて対向配置され、基端部１２ｂから短尺挟持杆１６ｂの先端までの長さが、点眼薬カプセルを平面でみたときの折開部近傍の幅よりも長い長辺を有する、長方形の薄板材で形成される。また、長、短尺挟持杆１６ａ，ｂの幅は、点眼薬カプセルの折り曲げ操作で発生する応力にも変形しない程度の幅であればよい。【選択図】図１
2006188263.tif 000002
【特許請求の範囲】
【請求項１】
折開部近傍の折り曲げ動作によって、容器の一部を開封する点眼薬カプセルの開封装置であって、
折開部近傍を挟むように設けられた挟持部と、
挟持部と一体に設けられた把持部と、を有し、
折開部近傍を挟持部で狭持した状態で折り曲げ動作を行うことにより、点眼薬カプセルを開封させることを特徴とする点眼薬カプセルの開封装置。
【請求項２】
挟持部が折開部近傍を挟むための所要の間隔を空けて対向配置された複数の挟持杆からなることを特徴とする請求項１記載の点眼薬カプセルの開封装置。
【請求項３】
挟持杆の間隔が、折開部近傍を挟持部で狭持したときに挟持部がぐらつかない程度の間隔に設定されていることを特徴とする請求項１または２記載の点眼薬カプセルの開封装置。
【請求項４】
装置全体が薄板材で形成されることを特徴とする請求項１ないし３記載の点眼薬カプセルの開封装置。
【請求項５】
挟持部が、点眼薬カプセルの折開部近傍を挟持杆に沿わせながら装着できる案内構造を有していることを特徴とする請求項１ないし４記載の点眼薬カプセルの開封装置。
【請求項６】
挟持部が長尺と短尺の一対の挟持杆から形成されることを特徴とする請求項１ないし５記載の点眼薬カプセルの開封装置。
【発明の詳細な説明】
【技術分野】
【０００１】
本発明は、一回使い切り点眼薬を密封収納した容器の一部を開封するための装置に関する。
【背景技術】
【０００２】
リウマチ等により、手指先の障害を伴う、シェーグレン症候群やスティーブンスジョンソン症候群の患者は、乾燥性角結膜炎が必発の合併症である。この乾燥性角結膜炎の治療薬として、一回使い切り点眼薬が処方されており、患者は毎日６〜８回程度の点眼を行う必要がある。しかし、該点眼薬カプセルを開封する際には開封口近傍を手指で強く折る行為を必要とするが、手指先の障害を伴う患者にとっては、この作業は疼痛を伴うものである。また、図９で示すように、例えば、親指背側湾曲変形４０のために、点眼薬カプセル５０を把持しづらい等の作業困難を伴うものであった。このため、やむなく一回使い切りでない、防腐剤を含む通常の点眼薬を使用し、かえって病状を悪化させることが問題となっていた。
【０００３】
この開封作業を補助するツールとしては、例えば特許文献１に示されるような鋏があるが、手指先の障害を伴う患者にとっては、この作業でさえも疼痛や手指先変形のための作業困難を伴うものであった。さらに、鋏等で切断した場合には、鋏に付着した細菌が切断口を介して点眼薬に混入し、細菌等による感染症を併発することが問題となっていた。また、リウマチを伴わなくても乾燥性角結膜炎によって重度の視力障害におちいっている患者にとっても、特許文献１に示されるような鋏では、指を怪我し易い等危険で、また作業困難でもあり、自力ではしづらいという問題があった。
【０００４】
このため、上記のようなリウマチ等の手指障害を持つ患者や、乾燥性角結膜炎によって重度の視力障害におちいっている患者はもちろん、そのような患者を受け入れる医療現場にとっても、手指の障害部の疼痛や不自由を伴わず、容易に、かつ、清潔に、一回使い切り点眼薬を開封できるようにすることは、喫緊の課題であった。
【特許文献１】特開平７−１４１３９３
【発明の開示】
【発明が解決しようとする課題】
【０００５】
本発明は上記従来の課題に鑑みてなされたものであり、その一つの目的は、リウマチ等の手指の障害を持つ患者が障害部の疼痛や不自由を伴わず、また、重度の視力障害におちいっている患者にとっても容易に、開封できる一回使い切り点眼薬カプセルの開封装置を提供することにある。また、本発明の他の目的は一回使い切り点眼薬カプセルの開封部分からの細菌等による汚染もなく開封できる開封装置を提供することにある。
【課題を解決するための手段】
【０００６】
上記の目的を達成するために、本発明は、折開部近傍５４の折り曲げ動作によって、容器の一部を開封する点眼薬カプセル５０の開封装置であって、折開部近傍５４を挟むように設けられた挟持部１２と、挟持部１２と一体に設けられた把持部１４と、を有し、折開部近傍５４を挟持部１２で狭持した状態で折り曲げ動作を行うことにより、点眼薬カプセル５０を開封させる構成としている。
【０００７】
その際に、挟持部１２が折開部近傍５４を挟むための所要の間隔を空けて対向配置された複数の挟持杆１６からなっていてもよいし、挟持杆１６の間隔が、折開部近傍５４を挟持部１２で狭持したときに挟持部１２がぐらつかない程度の間隔に設定されていてもよい。
【０００８】
また、本発明による点眼薬カプセルの開封装置は、装置全体が薄板材１８で形成されていてもよい。また、本発明による点眼薬カプセルの開封装置は、挟持部１２が、点眼薬カプセル５０の折開部近傍５４を挟持杆１６に沿わせながら装着できる案内構造を有していてもよいし、その際挟持部１２が長尺１６ａと短尺１６ｂの一対の挟持杆１６から形成されていてもよい。
【発明の効果】
【０００９】
本発明の点眼薬カプセルの開封装置によれば、折開部近傍の折り曲げ動作によって、容器の一部を開封する点眼薬カプセルの開封装置であって、折開部近傍を挟むように設けられた挟持部と、挟持部と一体に設けられた把持部と、を有し、折開部近傍を挟持部で狭持した状態で折り曲げ動作を行うことにより、点眼薬カプセルを開封させる構成であるから患者等は手指の障害部の疼痛や不自由を伴わず、折開部近傍を挟持部で挟持した状態で把持部を把持し、折り曲げるという簡単な操作で点眼薬カプセルを開封することができる。また、点眼薬カプセルの開封口に、本発明の開封装置が直接触れることなく開封できるので、細菌等による感染症を併発することもなく、患者等は安心して使用することができる。
【００１０】
また、挟持部が折開部近傍を挟むための所要の間隔を空けて対向配置された複数の挟持杆からなる構成であるから、シンプルな構造でも、折開部近傍を挟持部で挟持した状態で把持部を把持し、折り曲げるという簡単な操作で点眼薬カプセルの開封を実現できる。
【００１１】
また、挟持杆の間隔が、折開部近傍を挟持部で狭持したときに挟持部がぐらつかない程度の間隔に設定されている構成であるから、折り曲げ操作に余分な動作も不要であり、手指の傷害を伴う患者にとっても手指の障害部の疼痛や不自由を伴わずより少ない力及び少ない動きをもって、容易に開封できる。
【００１２】
また、装置全体が薄板材で形成される構成であるから、軽量で持ち運びにも便利であり、外出先でも手軽に持ち運んで、開封し点眼できる、と同時に、収納スペースも少なくできる。さらに、製作容易化及び低コスト化も実現できる。
【００１３】
また、挟持部が、点眼薬カプセルの折開部近傍を挟持杆に沿わせながら装着できる案内構造を有している構成であるから、重度の視力障害を有する患者や、手指の障害を持つ患者にとっても安全で容易な折り曲げ操作により、点眼カプセルを開封することができるという効果がある。
【００１４】
また、挟持部が長尺と短尺の一対の挟持杆から形成される構成であるから、例えば、長辺を案内構造として使用することにより、非常にシンプルな構造であっても安全で容易な折り曲げ操作によって点眼カプセルを開封することができる。さらに、製作容易化及び低コスト化も実現できる。
【発明を実施するための最良の形態】
【００１５】
以下、添付図面を参照しつつ本発明を実施するための最良の形態について説明する。図１ないし図５に示すように、本実施形態の装置は、一回使い切り点眼薬を密封収納した点眼薬カプセル５０を開封するための装置１０（以下本装置）で、本装置１０は、装置全体が薄板材１８で形成され、狭持部１２と把持部１４を備えている。そして、図６および図８に示すように、点眼薬カプセルの折開部近傍５４を挟持部１２で挟持した状態で、把持部１４を把持して折り曲げ動作を行うことにより、本装置１０が開封口５９に接触することなく点眼薬カプセル５０を開封できる。
【００１６】
本実施形態において、点眼薬カプセルの折開部５２は折り曲げ動作により点眼薬カプセル５０を開封させる、開封部位である。図４または図５に示すように、折開部５２は折り曲げ動作によって、点眼薬カプセルの頭部５６と首部５７を破断分離できる程度の脆弱な接続構造を有して形成される。例えば、頭部５６と首部５７とが薄肉部を介して接続されていてもよい。そして、図８に示すように、開封後は開封口５９が点眼薬の導出口となる。
【００１７】
本実施形態において、本装置１０の挟持部１２は点眼薬カプセルの折開部近傍５４を挟持するための、挟持手段である。図１ないし図３において、挟持部１２は、長尺挟持杆１６ａと、短尺挟持杆１６ｂと、長、短尺挟持杆１６ａ，ｂが一体となる基端部１２ｂと、挿入口１９と、を備えている。本実施形態において挟持部１２は一対の挟持杆１６ａ，ｂを備えているが、複数対の挟持杆を備えていてもよい。
【００１８】
図１ないし図３において、長尺挟持杆１６ａは、本装置１０の先端側に、基端部１２ｂから長尺挟持杆１６ａの先端までの長さが短尺挟持杆１６ｂの長さよりも長い長辺を有する、長方形の薄板材として形成されている。また、短尺挟持杆１６ｂは、長尺挟持杆１６ａの上側に長尺挟持杆１６ａと所要の間隔を空けて対向配置され、基端部１２ｂから短尺挟持杆１６ｂの先端までの長さが、点眼薬カプセル５０を平面でみたときの折開部近傍５４の幅よりも長い長辺を有する、長方形の薄板材で形成される。また、長、短尺挟持杆１６ａ，ｂの幅は、点眼薬カプセル５０の折り曲げ操作で発生する応力にも変形しない程度の幅であればよい。
【００１９】
図１ないし図３において、挿入口１９は、短尺狭持杆１６ｂの先端と、該先端から所要の間隔を空けて下方に位置し、該先端より長く突出した、長尺挟持杆１６ａの先端部１６ａ１との間隙開口に形成される。したがって、挿入口１９は、例えば、長尺挟持杆１６ａの先端部１６ａ１の上辺に、点眼薬カプセル５０の折開部近傍５４を載せて、挿入口１９から基端部１２ｂに向けて長尺挟持杆１６ａの上辺に沿わせながら、長、短尺挟持杆１６ａ，ｂで挟まれる部分に引き込むことができる案内構造を形成している。
【００２０】
図１ないし図３において、長、短尺挟持杆１６ａと１６ｂは、折開部近傍５４を挟むための所要の間隔を空けて対向配置されている。そして、その間隔２０は点眼薬カプセル５０を正面で見たときの折開部近傍５４の幅と略同じに設定されているため、挟持したときのぐらつきもなく、折り曲げる際に余分な動きを伴わず操作できる。本実施形態において長、短尺挟持杆１６ａと１６ｂの間隔は、固定であるが、点眼薬カプセルのヴァリエーションに対応できるように、間隔を調整できる態様で設けられていてもよいし、異なった間隔で複数の挟持杆を備えていてもよい。
【００２１】
本実施形態において、本装置１０の把持部１４は、挟持部１２で点眼薬カプセル５０の折開部近傍５４を挟持した状態で、本装置１０を把持する把持部位である。図１及び図２において、把持部１４は、本装置１０の挟持部１２と反対端に、手のひらである程度ゆとりをもって把持できる程度の幅と、長さあるいは大きさの長方形の薄板材として挟持部１２と一体に、形成されている。把持部の形状は、本実施形態の形状に限らず、大雑把な握り動作で、折り曲げ操作が容易に行えれば、楕円形、台形等の任意の形状であってもよい。
【００２２】
本実施形態において、本装置１０は薄板材１８で形成されるが、薄板材に限らず、例えば、手に障害のある患者に対応した操作容易な任意の形状であってもよい。また、本実施形態において、本装置１０の材料は、折り曲げ操作で発生する応力でも変形をしない程度の剛性を有する合成樹脂製で形成されているが、変形しないものであれば木製、金属製であってもよい。
【００２３】
次に、本実施形態による点眼薬カプセルの開封装置の作用について説明する。まず、例えば、本装置１０を右手で把持する。その際に、該補助具２０は薄板材１８で形成されているので、必ずしも手のひらで把持する必要もなく、例えば、手の指の間に挟む等、手の障害に対応した把持方法が可能である。また、軽量で持ち運びにも便利であり、外出先でも手軽に持ち運んで、開封し点眼できる、と同時に、収納スペースも少なくできる。
【００２４】
次に、例えば、点眼薬カプセル５０を左手で把持し、図６で示すように、本装置１０の狭持部１２に装着する。その際に、前記案内構造を利用して、挿入口１９から基端部１２ｂに向けて容易に装着できるので、重度の視力障害を有する患者や、手指の障害を持つ患者にとっても、不自由を伴わずに装着できる。また、その際に、短尺挟持杆１６ｂの基端部１２ｂから先端までの長さは、点眼薬カプセル５０を平面で見たときの折開部近傍５４の幅より長く設定されており、挟持杆１６ａと１６ｂの間隔２０は、点眼薬カプセル５０を正面で見たときの折開部近傍５４の幅Ｔと略同じに設定されているため、挟持したときのぐらつきもなく、折り曲げる際に余分な動きを伴わず操作できる。
【００２５】
次に、図７および図８に示すように、点眼薬カプセルの折開部５２近傍を挟持部１２で挟持した状態で、把持部１４を把持して折り曲げ動作を行う。その際、長尺挟持杆１６ａの上辺と点眼薬カプセルの折開部５２近傍が接する部位が支点２２で、把持部１４の上辺が力点２４で、短尺挟持杆１６ｂの下辺と点眼薬カプセルの折開部５２近傍が接する部位が作用点２６となるてこの原理により、少ない力で折り曲げることができる。また、その際、把持部１４が手のひらである程度ゆとりをもって把持できる程度の大きさで形成されているので、大雑把な握りでも手の力が点眼薬カプセルに伝わりやすく、不自由な手指に頼ることなく、開封できる。
【００２６】
また、図８で示される様に、本装置１０と、折開部５２は、点眼薬カプセル頭部５６により離隔しているので、本装置１０と、開封口５９が触れることもなく、開封できる。したがって、患者等は、細菌等による感染症を併発することもなく、安心して使用することができる。
【００２７】
以上説明した本発明の点眼薬カプセルの開封装置は、上記した実施形態のみの構成に限定されるものではなく、特許請求の範囲に記載した本発明の本質を逸脱しない範囲において、任意の改変を行ってもよい。
【産業上の利用可能性】
【００２８】
本発明の点眼薬カプセルの開封装置は、リウマチ等の手指の障害を持つ患者や重度の視力障害におちいっている患者だけでなく、手指が不自由な老人等においても無理なく使用できる。また、病院、製薬会社、一般家庭等の広範な用途がある。
【図面の簡単な説明】
【００２９】
【図１】本発明の実施形態に係る装置の正面図である。
【図２】本発明の実施形態に係る装置の平面図である。
【図３】本発明の実施形態に係る装置のＡ−Ａ断面図である。
【図４】本発明の実施形態に係る点眼薬カプセルの平面図である。
【図５】本発明の実施形態に係る点眼薬カプセルの正面図である。
【図６】本発明の実施形態に係る装置を点眼薬カプセルに装着した状態を示す平面図である。
【図７】本発明の実施形態に係る折り曲げ操作を示す説明図である。
【図８】本発明の実施形態に係る折り曲げ操作後の点眼薬カプセルの開封状態を示す説明図である。
【図９】手指の障害をもつ患者の開封作業困難性の例を説明する斜視図である。
【符号の説明】
【００３０】
１０  点眼薬カプセルの開封装置
１２  挟持部
１４  把持部
１６、１６ａ、１６ｂ  挟持杆
１８  薄板材
２０  長、短尺挟持杆の間隔
５０  点眼薬カプセル
５２  折開部
５４  折開部近傍
【図１】
2006188263.tif 000003
【図２】
2006188263.tif 000004
【図３】
2006188263.tif 000005
【図４】
2006188263.tif 000006
【図５】
2006188263.tif 000007
【図６】
2006188263.tif 000008
【図７】
2006188263.tif 000009
【図８】
2006188263.tif 000010
【図９】
2006188263.tif 000011